(57)【特許請求の範囲】
【請求項１】
電池(1)、または電池(1)を装着している電気機器の被充電具を脱着自在に装着する装着ポケット(2)を有し、この装着ポケット(2)にセットされた被充電具を充電する充電回路を内蔵している充電器において、
装着ポケット(2)は、少なくとも一方の側面に排水路(2A)を有する溝形に成形されて、装着ポケット(2)に流入する水を排水できる形状となっており、さらに、装着ポケット(2)は、被充電具を定位置に装着する位置決ガイド(3)が設けられており、
さらにまた、装着ポケット(2)の立ち上がり面(2B)には、位置決ガイド(3)として、立ち上がり面(2B)から突出する凸部(6)が設けられており、この凸部(6)において、装着ポケット(2)の底面よりも上方に位置して、立ち上がり面(2B)から離れて、被充電具の充電端子(9)に接続される接点(4)を表出させる接点穴(5)が開口されており、この接点穴(5)には、装着ポケット(2)にセットされる被充電具の充電端子(9)に接続される接点(4)が配設されており、
装着ポケット(2)に被充電具が装着されると、接点(4)が被充電具の充電端子(9)に接続されて、被充電具が充電され、装着ポケット(2)に水が流入すると、この水は側面の排水路(2A)から流出されるように構成されてなることを特徴とする充電器。
【発明の詳細な説明】
【０００１】
【発明の属する技術分野】
本発明は、電池を充電する充電器に関し、とくに、流入する水をスムーズに排水できる充電器に関する。
【０００２】
【従来の技術】
充電器は、電池や電池を装着している電気機器等の被充電具を簡単に定位置に脱着するために、ケースに装着ポケットを設けている。電池等の被充電具は、装着ポケットに挿入して、定位置にセットされる。被充電具を定位置にセットするのは、電池等の充電端子を充電器の接点に確実に接触させるためである。装着ポケットにセットされた電池等の被充電具は、充電端子を接点に接続して充電される。この構造の充電器は、電池等の被充電具を装着ポケットに挿入して充電し、充電の完了した電池等の被充電具を、ここから引き出して便利に使用できる。
【０００３】
【発明が解決しようとする課題】
ところが、ケースに設けた装着ポケットに、電池等の被充電具を挿入して定位置に装着して充電する充電器は、装着ポケットに侵入した水を速やかに排水できない欠点がある。装着ポケットに侵入する水は、接点穴から充電器のケース内に侵入する。ケース内に侵入した水は、漏電等の原因となって、電子パーツをショートさせ、あるいは、電気パーツを腐食させて故障の原因となる。とくに、侵入した水がケースの内部に溜り、これが電子パーツの熱で蒸発され、さらに、この状態が何回も繰り返されると、電子パーツは極めてショートしやすい状態になる。それは、水が蒸発されると、不純物の濃度が高くなって水の導電性が高くなるからである。この弊害は、接点穴と接点との隙間を狭くして少なくできる。ただ、接点は、弾性的に変形して、装着ポケットにセットされる電池等の充電端子に押圧して接続されるので、接点と接点穴との間には、接点を無理なく弾性的に移動できる隙間を設ける必要がある。接点が接点穴に接触して摺動すると、動きがスムーズでなくなり、充電端子と接点との接触不良の原因となる。このため、接点は、電池等の充電端子に確実に弾性的に押圧されるように、接点穴に接触しないようにする必要がある。このため、接点穴は、ここから水が侵入しないように小さくできない。
【０００４】
本発明は、ケース内に水が侵入する弊害を防止するために開発されたものである。本発明の重要な目的は、接点穴からケース内に水が侵入するのを有効に防止できると共に、電池等の被充電具を、簡単かつ容易に、しかも正確に装着ポケットの定位置に装着して確実に充電できる充電器を提供することにある。
【０００５】
【課題を解決するための手段】
本発明の充電器は、電池１、または電池１を装着している電気機器の被充電具を脱着自在に装着する装着ポケット２を有する。充電器は、装着ポケット２にセットされた電池１等の被充電具を充電するための充電回路も内蔵している。
さらに、本発明の請求項１の充電器は、装着ポケット２の少なくとも一方の側面を開口して、排水路２Ａのある溝形に成形し、装着ポケット２に流入する水を排水できる形状としている。溝形の装着ポケット２の定位置に電池１等の被充電具を装着するために、装着ポケット２には、被充電具を定位置に装着する位置決ガイド３を設けている。すなわち、本発明の充電器は、装着ポケット２で被充電具を定位置に装着するのに代わって、位置決ガイド３で被充電具を定位置に装着している。
【０００６】
さらにまた、装着ポケット２の立ち上がり面２Ｂには、装着ポケット２の底面よりも上方に位置して、被充電具の充電端子９に接続される接点４を表出させる接点穴５を開口している。この接点穴５には、装着ポケット２にセットされる被充電具の充電端子９に接続される接点４を配設している。
【０００７】
この構造の充電器は、装着ポケット２に被充電具を装着すると、接点４を被充電具の充電端子９に接続して、被充電具を充電する。装着ポケット２に流入する水は、排水路２Ａから流出されて、接点穴５からケース７の内部に侵入するのが阻止される。
【０００８】
さらに、本発明の充電器は、接点穴５の周囲に、立ち上がり面２Ｂから突出する凸部６を設けて、凸部６に、立ち上がり面２Ｂから離れて接点穴５を設けている。この構造の充電器は、電池１等の被充電具を装着ポケット２に挿入するときに、被充電具が接点４に直接に衝突するのが防止される。このため、接点４が電池１等の被充電具に当たって損傷するのを防止できる。
【０００９】
また、本発明の充電器は、接点穴５を設けている凸部６を、電池１等の被充電具を定位置に装着する位置決ガイド３に併用している。
【００１０】
【作用】
充電器は、位置決ガイド３に沿って、電池１等の被充電具を装着ポケット２に装着する。装着ポケット２は、少なくとも一方の側面に排水路２Ａを開口する溝形である。溝形の装着ポケット２は、電池１等を正確な位置に装着できない。電池１等が横にずれるからである。電池１等の横ずれを阻止するために、装着ポケット２に位置決ガイド３を設けている。すなわち、本発明の充電器は、装着ポケット２に嵌入して電池１等を定位置にセットするのに代わって、装着ポケット２を溝形とし、横ずれを位置決ガイド３で阻止する。排水路２Ａを開口する装着ポケット２は、ここに流入する水をスムーズに排水する。
【００１１】
さらに、本発明の充電器は、接点４を装着ポケット２に表出させるための接点穴５を、装着ポケット２の底面よりも上方に配設する。このため、装着ポケット２に流入する水が、接点穴５からケース７の内部に侵入するのを確実に防止できる。とくに、本発明の充電器は、装着ポケット２に水が溜らず、しかも、接点穴５を装着ポケット２の底よりも上に配設するので、接点穴５からの水の侵入を確実に防止できる特長がある。
【００１２】
また、排水路２Ａを開口する溝形の装着ポケット２は、内部に侵入する塵等も簡単に除去できる。このため、装着ポケット２を綺麗な環境として、充電端子と接点４の接触不良を少なくできる。
【００１３】
【発明の実施の形態】
以下、本発明の実施例を図面に基づいて説明する。ただし、以下に示す実施例は、本発明の技術思想を具体化するための充電器を例示するものであって、本発明は充電器を下記のものに特定しない。
【００１４】
さらに、この明細書は、特許請求の範囲を理解し易いように、実施例に示される部材に対応する番号を、「特許請求の範囲の欄」、「作用の欄」、および「課題を解決するための手段の欄」に示される部材に付記している。ただ、特許請求の範囲に示される部材を、実施例の部材に特定するものでは決してない。
【００１５】
図１と図２に示す充電器は、プラスチック製の上ケース７Ａに、電池１を装着する装着ポケット２を設けている。上ケース７Ａは底面を開口する形状に成形され、底面の開口部にプラスチック製の底板７Ｂを連結して、底面を閉塞している。
【００１６】
装着ポケット２は、両側に排水路２Ａを開口して溝形に成形している。両側の排水路２Ａは、装着ポケット２の底面と同一平面に開口されている。流入する水を、両側にスムーズに流出させるためである。ただ、図示しないが、装着ポケットは、両側の排水路に向かって多少下り勾配に傾斜して、よりスムーズに排水することもできる。また、排水路２Ａは、必ずしも装着ポケット２の両側に設ける必要はなく、少なくとも一方の側面に設ければよい。
【００１７】
図に示す装着ポケット２は、垂直方向に電池１を脱着できるように、上方と両側を開口した溝形に成形している。溝形の装着ポケットは、電池を多少傾斜する姿勢で装着するように、垂直方向から多少傾斜して設けることもできる。装着ポケット２の内幅は、装着される電池１の厚さにほぼ等しく、正確には、これよりも多少広く製作される。電池１をスムーズに挿入するためである。
【００１８】
溝形に成形される装着ポケット２は、電池１が横にずれるのを阻止するために、位置決ガイド３を立ち上がり面２Ｂに設けている。図に示す充電器は、５列の位置決ガイド３を、立ち上がり面２Ｂの上下に延長して成形している。位置決ガイド３は、立ち上がり面２Ｂから突出する凸部で、電池１にはこの凸部の位置決ガイド３を摺動させるガイド溝８を設けている。電池１のガイド溝８に、位置決ガイド３である凸部が挿入されて、電池１は装着ポケット２の定位置に脱着自在に装着される。
【００１９】
両側と中央に配設される３列の位置決ガイド３には、接点穴５を開口している。接点穴５は、接点４をケース７の内部から装着ポケット２に突出させる貫通孔である。接点穴５は、弾性変形する金属線である接点４を、装着ポケット２に突出させるために、上下に延長されるスリット状に開口されている。接点穴５は、位置決ガイド３に併用される凸部６の上部に設られている。装着ポケット２に流入する水が、接点穴５からケース７の内部に流入しないようにするためである。
【００２０】
接点穴５のない位置決ガイド３は、接点穴５のある位置決ガイド３よりも高く成形されている。さらに、接点穴５のない位置決ガイド３は、接点穴５を設けた位置決ガイド３よりも、上方に延長して設けられている。さらに、接点４を設けない位置決ガイド３は、上面を傾斜面として、電池１を装着ポケット２にスムーズに案内できる形状としている。また、接点４を設けた位置決ガイド３も、上面を傾斜面として、電池１のガイド溝８をスムーズに案内する形状としている。
【００２１】
この形状の充電器は、電池１を装着ポケット２に挿入するときに、接点４を内蔵する位置決ガイド３よりも先に、接点４のない位置決ガイド３に案内される。このため、電池１が装着ポケット２の正確な位置に挿入されないとき、接点４のある位置決ガイド３が電池に衝突して損傷を受けるのを有効に防止できる。電池１が接点４のない位置決ガイド３に衝突して、それ以上は装着ポケット２に挿入できないからである。このため、接点４を設けた位置決ガイド３を、接点４のない位置決ガイド３で保護できる特長がある。
【００２２】
さらに、図に示すように、接点穴５を位置決ガイド３等の凸部６に設けた充電器は、凸部６によっても接点４が保護される。電池１を装着ポケット２に挿入するときに、まず電池１のガイド溝８が位置決ガイド３である凸部６に案内され、正確に挿入される電池１の充電端子９に接点４が接触されるからである。すなわち、接点４が直接に電池１の底面に衝突することがなく、装着ポケット２の正確な位置に挿入される電池１の充電端子９に、接点４が接触されるからである。
【００２３】
さらに、接点４を内蔵する位置決ガイド３と、接点４のない位置決ガイド３とは、その幅が異なるので、間違った位置決ガイドに電池１を差し込むことができない。この構造の装着ポケットは、電池を、間違った位置に装着することがなく、差し違いによる損傷や故障等を確実に防止できる。さらに、図示しないが、充電器は、隣接する位置決ガイドの間隔を同じにせず、多少変化させることによって、差し違いを防止することもできる。
【００２４】
接点穴５から装着ポケット２に突出する接点４は、弾性変形できる金属線で、図２の断面図に示すように、接点支持板１１を介してプリント基板１０に固定される。金属製の接点４は、先端を山形に折曲し、山形に折曲する部分を、接点穴５から装着ポケット２に突出させている。接点４の先端は折曲されて、折曲部を接点穴５の内面に当接させて、接点４の突出量を決定している。さらに、接点４は中間をＵ曲して、山形部を、弾性的に電池の充電端子に押圧できる形状としている。この接点４は、接点支持板１１の凸起１１Ａと挟着部１１Ｂに連結されて、下端をプリント基板１０に半田付けして連結している。接点支持板１１も、下端をプリント基板１０に連結している。
【００２５】
プリント基板１０は、充電回路を構成する電子パーツ（図示せず）を固定している。充電回路は、電源コード１３から入力される商用電源を、電池１を充電する電圧の直流に変換して、接点４から出力する。プリント基板１０には、発熱する電子パーツを冷却する放熱板１２等も固定している。プリント基板１０は、上ケース７Ａ、または底板７Ｂに固定されて、ケース７内の定位置に配設される。接点４は、プリント基板１０を介して、ケース７の定位置に配設される。
【００２６】
以上の実施例の充電器は、装着ポケット２に電池１を装着している。本発明の充電器は、装着ポケットに、必ずしも電気機器から取り出した電池を装着する必要はない。図示しないが、電池を装着している電気機器を装着して、電気機器に装着される電池を充電することもできる。電池を装着する電気機器を装着する充電器は、装着ポケットの形状を、電気機器を装着できる形状とする。電気機器を装着して電気機器の電池を充電する充電器は、電気機器を動作状態として、電池を充電することもできる。
【００２７】
電気機器を装着する充電器は、たとえば、携帯電話のように、電池を充電しながら、電気機器を動作状態に待機させるときに便利に使用できる。
【００２８】
【発明の効果】
本発明の充電器は、下記の優れた特長がある。
▲１▼  水が侵入するのを確実に防止して、水に起因する故障を極減できる特長がある。それは、本発明の充電器が、電池等の被充電具を装着する装着ポケットの少なくとも一方の側面に排水路を開口して溝形にすると共に、この装着ポケットの立ち上がり面に、底面より上方に位置して接点穴を開口し、この接点穴から接点を装着ポケットに表出させているからである。排水路を開口する溝形の装着ポケットは、ここに流入する水を、排水路に流して速やかに排水する。このため、装着ポケットに水が溜ることがない。さらに、ケースの内部に水が侵入する可能性のある接点穴を、溝形の装着ポケットの底面よりも上方に開口している。このため、本発明の充電器は、装着ポケットに水が溜らず、さらに、たとえ装着ポケットに水が溜っても、この水が接点穴からケース内に侵入することがなく、ケース内への水の侵入を確実に防止できる特長がある。
【００２９】
▲２▼  電池等の被充電具を、簡単かつ容易に、しかも装着ポケットの正確な位置に脱着できる。それは、本発明の充電器が、溝形装着ポケットに位置決ガイドを設け、装着ポケットで被充電具の前後の位置ずれを阻止し、位置決ガイドで被充電具で左右横方向の位置ずれを阻止して、被充電具を装着ポケットの定位置に挿入できるからである。
【００３０】
▲３▼  装着ポケットの清掃が簡単で、電池の充電端子と接点との接触不良を少なくできる。それは、本発明の充電器が、電池等の被充電具を脱着自在に挿入する装着ポケットを、少なくとも一方の側面に排水路を設けた溝形に成形しているからである。溝形の装着ポケットは、たとえば、ここに塵等が侵入しても、雑巾や刷毛のようなものを横に移動させて、塵を簡単に吐き出して清掃できる。
【００３１】
(4)  さらに、本発明の充電器は、接点穴を凸部に設けているので、接点を凸部で保護して、接点の損傷や変形を有効に防止できる。それは、接点が電池等の被充電具に直接に衝突することがないからである。凸部に設けた接点は、凸部によって被充電具を正確な位置に案内して、電池等の充電端子に接触される。このため、接点の損傷を防止して、接触不良を少なくできる特長がある。
【００３２】
(5)  さらにまた、本発明の充電器は、接点を設けた凸部を位置決ガイドに併用するので、全体の構造を簡単にして、電池等の被充電具を装着ポケットの正確な位置に脱着できる特長がある。
【図面の簡単な説明】
【図１】本発明の実施例の充電器を示す斜視図
【図２】図１に示す充電器の断面図
【符号の説明】
１…電池
２…装着ポケット        ２Ａ…排水路        ２Ｂ…立ち上がり面
３…位置決ガイド
４…接点
５…接点穴
６…凸部
７…ケース              ７Ａ…上ケース      ７Ｂ…底板
８…ガイド溝
９…充電端子
１０…プリント基板
１１…接点支持基板      １１Ａ…凸起        １１Ｂ…挟着部
１２…放熱板
１３…電源コード
【図１】
0003653358.tif 000002
【図２】
0003653358.tif 000003